(57)【要約】【課題】  容器の配置位置の制約がない。洗浄部の下面より容器内の液面を上に配置することで、洗浄装置を嵩低くできる。共通のポンプを循環モードと回収モードに使用できる。【解決手段】  除毛器具２を洗浄するための洗浄部４と、洗浄液６を入れる容器５と、ポンプ７と、気密化された容器５内と外気とを通気するための空気弁８を備える。容器５に入れた洗浄液６を洗浄部４に放出して除毛器具２を洗浄すると共に洗浄後の洗浄液６を取入れ口１７から取入れて容器５に返送する循環モードと、洗浄液６による除毛器具２の洗浄が終った後に洗浄液６を取入れ口１７から容器５に戻す回収モードとを備える。２つのモードのいずれにおいてもポンプ７を運転すると共に、空気弁８の開と閉を選択することで２つのモードのいずれか一方が選択される。【選択図】        図１
2004243113.tif 000002
【特許請求の範囲】
【請求項１】
体毛の除毛をおこなうための体毛処理部を有する除毛器具を洗浄するための洗浄装置において、除毛器具を洗浄するための洗浄部と、洗浄液を入れる容器と、洗浄部に対する洗浄液の放出口と容器とを連通する供給路と、洗浄部で洗浄した後の洗浄液を取入れるための取入れ口と容器とを連通する返送路と、上記供給路と容器と返送路とで構成される供給・返送経路中に、ポンプと、気密化された容器内と外気とを通気するための空気弁を備え、容器に入れた洗浄液を放出口から洗浄部に放出して除毛器具を洗浄すると共に洗浄後の洗浄液を取入れ口から取入れて容器に返送する循環モードと、洗浄液による除毛器具の洗浄が終った後に洗浄液を取入れ口から容器に戻して回収する回収モードとを備え、上記２つのモードのいずれのモードにおいても上記ポンプを運転すると共に、空気弁の開と閉を選択することで上記２つのモードのいずれか一方が選択されることを特徴とする除毛器具の洗浄装置。
【請求項２】
除毛器具を洗浄するための洗浄部と、洗浄液を入れる密閉された容器と、この密閉された容器内を加圧することで容器内の洗浄液を洗浄部に供給し且つ洗浄部における洗浄後の洗浄液を加圧して再び容器に返送するためのポンプとを備え、洗浄液による除毛器具の洗浄が終って洗浄液をポンプにより回収する際容器内の気密を開放するための空気弁を設けて成ることを特徴とする請求項１記載の除毛器具の洗浄装置。
【請求項３】
供給路にポンプを設け、供給路のポンプと容器との間を２流路により構成して一方の流路を容器の下部とポンプとを連通する液体流路とすると共に他方の流路を容器の上部とポンプとを連通する空気排出流路とし、液体流路に液体供給弁を設け、空気排出流路に空気弁を設け、循環モード時にポンプを作動してポンプによる吸引で容器に入れた洗浄液を放出口から洗浄部に放出して除毛器具を洗浄すると共にポンプによる洗浄液の吸引で容器内が減圧されることによる吸引力で洗浄後の洗浄液を再び容器に返送するように空気弁が閉で且つ液体供給弁が開となるように設定され、回収モード時に、ポンプによる吸引で容器内を減圧して容器に洗浄液を回収するように空気弁が開で且つ液体供給弁が閉となるように設定されていることを特徴とする請求項１記載の除毛器具の洗浄装置。
【請求項４】
空気弁が電磁弁であることを特徴とする請求項１乃至請求項３のいずれかに記載の除毛器具の洗浄装置。
【請求項５】
容器に、ポンプから容器内に流体を送る送入口である連結管と、容器から洗浄液を排出する排出口である連結管と、容器の気密を開放するための開閉口につながる連結管とを備えていることを特徴とする請求項２記載の除毛器具の洗浄装置。
【請求項６】
洗浄装置の主体を構成する洗浄装置本体にポンプ、洗浄部に洗浄液を放出する放出口、気密を開放するための開閉口を設け、この洗浄装置本体に対して容器を着脱自在に取付け、容器に設けた送入口である連結管と排出口である連結管と気密を開放するための開閉口につながる連結管を、それぞれポンプ、放出口、開閉口に連通するように洗浄装置本体に対して着脱自在として成ることを特徴とする請求項５記載の除毛器具の洗浄装置。
【請求項７】
容器が上記送入口である連結管と排出口である連結管と気密を開放するための開閉口につながる連結管を略上方から差し込みにより取付け且つ略上方への移動により取り外すことができるようにして成ることを特徴とする請求項６記載の除毛器具の洗浄装置。
【請求項８】
容器の気密を開放するための開閉口の孔面積が、ポンプから容器内に流体を送る送入口の孔面積と同じか又は大きくしたことを特徴とする請求項２、請求項５乃至請求項７のいずれかに記載の除毛器具の洗浄装置。
【請求項９】
容器に上方に開口した開口部を設け、該開口部を遮蔽自在とした上方から着脱自在なキャップを設けて成ることを特徴とする請求項１乃至請求項７のいずれかに記載の除毛器具の洗浄装置。
【請求項１０】
体毛の除毛をおこなうための体毛処理部を有する除毛器具を洗浄装置により洗浄するための洗浄方法であって、洗浄装置に、除毛器具を配置して洗浄するための洗浄部と、洗浄液を入れる容器と、洗浄部に対する洗浄液の放出口と容器とを連通する供給路と、洗浄部で洗浄した後の洗浄液を取入れるための取入れ口と容器とを連通する返送路と、上記供給路と容器と返送路とで構成される供給・返送経路中に、ポンプと、気密化された容器内と外気とを通気するための空気弁を備え、除毛器具の洗浄に当たって、洗浄部に除毛器具を配置し、容器に入れた洗浄液を放出口から洗浄部に放出して除毛器具を洗浄すると共に洗浄後の洗浄液を取入れ口から取入れて容器に返送する循環モード運転を行って除毛器具を洗浄し、洗浄液による除毛器具の洗浄が終った後、洗浄液を取入れ口から容器に戻して回収する回収モード運転を行って洗浄液を容器に回収するものであり、上記２つのモードのいずれのモードにおいても上記ポンプを運転すると共に、空気弁の開と閉を選択することで上記２つのモードのいずれか一方を選択して運転することを特徴とする除毛器具の洗浄方法。
【請求項１１】
洗浄装置に、除毛器具を洗浄するための洗浄部と、洗浄液を入れる密閉された容器と、この密閉された容器内を加圧することで容器内の洗浄液を洗浄部に供給し且つ洗浄部における洗浄後の洗浄液を加圧して再び容器に返送するためのポンプとを備え、除毛器具を洗浄するに当たって、循環モードにおいては、空気弁を閉じて容器内を密閉した状態でポンプを作動してポンプによる加圧で容器に入れた洗浄液を放出口から洗浄部に放出して除毛器具を洗浄すると共に洗浄後の洗浄液をポンプで加圧して再び容器に返送し、回収モードにおいては、空気弁を開いて容器の気密を開放した状態でポンプにより容器に洗浄液を戻して容器に洗浄液を回収することを特徴とする請求項１０記載の除毛器具の洗浄方法。
【請求項１２】
供給路にポンプを設け、供給路のポンプと容器との間を２流路により構成して一方の流路を容器の下部とポンプとを連通する液体流路とすると共に他方の流路をポンプと容器の上部とを連通する空気排出流路とし、液流路に液体供給弁を設け、空気排出流路に空気弁を設け、除毛器具を洗浄するに当たって、循環モードにおいては、空気弁を閉じ且つ液体供給弁を開いた状態でポンプを作動してポンプによる吸引で容器に入れた洗浄液を放出口から洗浄部に放出して除毛器具を洗浄すると共にポンプによる洗浄液の吸引で容器内が減圧されることによる吸引力で洗浄後の洗浄液を再び容器に返送し、回収モードにおいては、空気弁を開き且つ液体供給弁を閉じた状態でポンプを作動してポンプによる吸引で容器内を減圧して容器に洗浄液を回収することを特徴とする請求項１０記載の除毛器具の洗浄方法。
【発明の詳細な説明】
【技術分野】
【０００１】
本発明は、電気かみそりや脱毛器等の除毛器具を洗浄するための除毛器具の洗浄方法及びその装置に関するものである。
【背景技術】
【０００２】
従来からこの種の洗浄装置として洗浄液を循環して洗浄するものが知られている。（例えば、特許文献１参照）
この特許文献１に示された洗浄装置にあっては、ひげそり装置を洗浄するための洗浄部の下方に洗浄液を入れた容器を配置し、該容器内の洗浄液をポンプで洗浄部に供給して洗浄部でひげそり装置のヘッド部を洗浄するようにしてしており、洗浄部から容器内への洗浄液の回収は洗浄液の自然落下により回収するようにしていた。
【０００３】
しかしながら、この従来例にあっては、自然落下によって洗浄液を回収するため、洗浄液の保存時の水面位置が洗浄部の下面の下にならざるを得ず、洗浄液を溜める容器も洗浄部の下面の下にしか配置できなかった。
【０００４】
このように、洗浄装置における容器の位置がひげそり装置を洗浄するための洗浄部の下方位置にのみ限定され、位置の制約があった。
【０００５】
しかも、このようにひげそり装置を洗浄するための洗浄部の下方に洗浄液を入れた容器を配置した構成とせねばならないため、洗浄装置の上下高さが高くなって嵩張るという問題があった。特に、洗浄部の下方の容器には洗浄が終わって循環に使用するために必要な洗浄液を自然落下で集めて溜めるようになっているため、容量が大きく、したがって、上下高さも必然的に高くなり、洗浄装置の上下高さが高くなってしまう構造となっており、嵩の低いコンパクトな洗浄装置とすることができなかった。
【０００６】
そこで、本発明者は本発明に至る過程で洗浄液の保存時の水面位置が洗浄部の下面に対して側方、あるいは側方以上の位置になるように、洗浄液を入れる容器を配置することで、洗浄装置の上下高さを低くして嵩の低いコンパクトな洗浄装置とすることを考えた。
【０００７】
ところが、このように容器の保存時の洗浄液の水面位置が洗浄部の下面に対して側方、あるいは側方以上の位置となるようにした場合、洗浄が終わって洗浄液を容器に回収するに当たり、容器中の洗浄液の水面を洗浄部の下面よりも高い位置に移動させなければならないために、上記従来例のように洗浄液の自然落下により回収することができない。
【０００８】
このため、容器から洗浄部に洗浄液を供給するためのポンプとは別に、洗浄部において洗浄済みの洗浄液を容器に回収するための別のポンプが必要になるという問題があった。
【特許文献１】特開平７−２３６５１４号公報
【発明の開示】
【発明が解決しようとする課題】
【０００９】
本発明は上記の点に鑑みてなされたものであり、洗浄部に対して容器の配置位置の制約がなく、容器に入れた洗浄液の上面が洗浄部の下面に対して上方に位置するように容器を配置することができ、特に、洗浄装置の上下高さを低くでき、しかもこのように洗浄装置の上下高さを低くできるように洗浄部の側方に容器を配置しても、簡単な構成で容器から洗浄部に洗浄液を放出して洗浄する際に使用するポンプを用いて洗浄後に容器に洗浄液を回収することができ、また、洗浄中に容器を密閉できて洗浄中に容器内の洗浄液が蒸発するのが防止できる除毛器具の洗浄方法及びその装置を提供することを課題とするものである。
【課題を解決するための手段】
【００１０】
上記課題を解決するために本発明に係る除毛器具の洗浄装置は、体毛の除毛をおこなうための体毛処理部１を有する除毛器具２を洗浄するための洗浄装置３において、除毛器具２を洗浄するための洗浄部４と、洗浄液６を入れる容器５と、洗浄部４に対する洗浄液６の放出口１４と容器５とを連通する供給路３０と、洗浄部４で洗浄した後の洗浄液６を取入れるための取入れ口１７と容器５とを連通する返送路２９と、上記供給路３０と容器５と返送路２９とで構成される供給・返送経路３３中に、ポンプ７と、気密化された容器５内と外気とを通気するための空気弁８を備え、容器５に入れた洗浄液６を放出口１４から洗浄部４に放出して除毛器具２を洗浄すると共に洗浄後の洗浄液６を取入れ口１７から取入れて容器５に返送する循環モードと、洗浄液６による除毛器具２の洗浄が終った後に洗浄液６を取入れ口１７から容器５に戻して回収する回収モードとを備え、上記２つのモードのいずれのモードにおいても上記ポンプ７を運転すると共に、空気弁８の開と閉を選択することで上記２つのモードのいずれか一方が選択されることを特徴とするものである。
【００１１】
このような構成とすることで、ポンプ７の運転に加えて空気弁８の開と閉を選択することにより循環モードと回収モードとを選択して運転できるものであり、これにより、洗浄後の洗浄液６を自由落下によって回収する従来例のように容器５の洗浄液６の保存時の水面位置が洗浄部４の下面の下になるように容器５を洗浄部４の下方に配置しなければならないというような洗浄部４に対して容器５の配置位置の制約がなくなり、洗浄部４に対して容器５を上方でも、側方でも、下方でも配置することができ、設計の自由度が増して形状が自由にできるものであり、特に、容器に入れた洗浄液６の上面が洗浄部４の下面に対して上方に位置するように容器５を配置することができるので、従来のように洗浄部４の下方に容器５を配置するものに比べ、洗浄装置３の上下高さを低くして嵩を低くコンパクトにすることが可能となるものである。また、従来のように自由落下により洗浄液６を回収せずにポンプ７により洗浄液６を回収することで容器５の配置位置の制約を受けないようにしたにもかかわらず、上記のように、循環モードと回収モードの両モードの運転をするポンプ７を共通のポンプ７で兼用できるものであって、構造が簡略化できる。
【００１２】
また、除毛器具２を洗浄するための洗浄部４と、洗浄液６を入れる密閉された容器５と、この密閉された容器５内を加圧することで容器５内の洗浄液６を洗浄部４に供給し且つ洗浄部４における洗浄後の洗浄液６を加圧して再び容器５に返送するためのポンプ７とを備え、洗浄液６による除毛器具２の洗浄が終って洗浄液６をポンプ７により回収する際容器５内の気密を開放するための空気弁８を設けるものであってもよい。
【００１３】
このような構成とすることで、前述と同様に、洗浄部４に対して容器５の配置位置の制約がなく、洗浄装置３の上下高さを低くして嵩を低くコンパクトにできるだけでなく、ポンプ７の運転に加えて空気弁８の開と閉を選択することにより、空気弁８を閉じて容器５内を密閉にした状態でポンプ７を作動して、加圧方式により洗浄液６を循環させて循環モード運転で洗浄部４で除毛器具２を洗浄し、洗浄後に空気弁８を開いて容器５の気密を開放することでポンプ７により洗浄液６を容器５に回収でき、この回収時に容器５から洗浄液６が洗浄部４側に放出されることがなく、また、回収時以外は容器５内が密閉されているので、洗浄液６の蒸発を防ぐことができる洗浄装置３を提供できるものである。
【００１４】
また、供給路３０にポンプ７を設け、供給路３０のポンプ７と容器５との間を２流路により構成して一方の流路を容器５の下部とポンプ７とを連通する液体流路３０ｂとすると共に他方の流路を容器５の上部とポンプ７とを連通する空気排出流路３０ｃとし、液体流路３０ｂに液体供給弁８０を設け、空気排出流路３０ｃに空気弁８を設け、循環モード時にポンプ７を作動してポンプ７による吸引で容器５に入れた洗浄液６を放出口１４から洗浄部４に放出して除毛器具２を洗浄すると共にポンプ７による洗浄液６の吸引で容器５内が減圧されることによる吸引力で洗浄後の洗浄液６を再び容器５に返送するように空気弁８が閉で且つ液体供給弁８０が開となるように設定され、回収モード時に、ポンプ７による吸引で容器５内を減圧して容器５に洗浄液６を回収するように空気弁８が開で且つ液体供給弁８０が閉となるように設定されているものであってもよい。
【００１５】
このような構成とすることで、前述と同様に、洗浄部４に対して容器５の配置位置の制約がなく、洗浄装置３の上下高さを低くして嵩を低くコンパクトにできるだけでなく、空気弁８を閉じると共に液体供給弁８０を開いた状態でポンプ７を運転することで、容器５内の洗浄液６がポンプ７により吸引されて洗浄部４に放出され、容器５内の洗浄液６がポンプ７で吸引されることで容器５内が減圧して洗浄に使用した洗浄液６が返送路２９から容器５内に返送されることで洗浄液６が循環しながら循環モード運転で洗浄部４で除毛器具２を洗浄し、洗浄が終わると、空気弁８を開くと共に液体供給弁８０を閉じてポンプ７を運転することで、容器５内の空気がポンプ７により吸引されて容器５内が減圧され、これにより洗浄液６を容器５に回収できるものであって、減圧方式で循環モード、回収モードの各運転ができる装置を提供できるものである。
【００１６】
ここで、空気弁８が電磁弁であることが好ましい。
【００１７】
このような構成とすることで、簡単な構成で空気弁８の開閉のコントロールができるものである。
【００１８】
また、容器５に、ポンプ７から容器５内に流体を送る送入口９ａである連結管９と、容器５から洗浄液６を排出する排出口１０ａである連結管１０と、容器５の気密を開放するための開閉口１１につながる連結管１２とを備えていることが好ましい。
【００１９】
このような構成とすることで、このような構成とすることで、簡単な構成で、ポンプ７から容器５に流体を送る構造、容器５を密閉したり、気密開放をしたりする構造、密閉状態で洗浄液６を洗浄部４側に放出する構造を備えた容器５を提供できるものである。
【００２０】
また、洗浄装置３の主体を構成する洗浄装置本体１３にポンプ７、洗浄部４に洗浄液６を放出する放出口１４、気密を開放するための開閉口１１を設け、この洗浄装置本体１３に対して容器５を着脱自在に取付け、容器５に設けた送入口９ａである連結管９と排出口１０ａである連結管１０と気密を開放するための開閉口１１につながる連結管１２を、それぞれポンプ７、放出口１４、開閉口１１に連通するように洗浄装置本体１３に対して着脱自在とすることが好ましい。
【００２１】
このような構成とすることで、このようにポンプ７から容器５に流体を送る構造、容器５を密閉したり、気密開放をしたりする構造、密閉状態で洗浄液６を洗浄部４側に放出する構造を備えた容器５を洗浄装置本体１３に対して着脱自在とすることで、使い勝手がよいものである。
【００２２】
また、容器５が上記送入口９ａである連結管９と排出口１０ａである連結管１０と気密を開放するための開閉口１１につながる連結管１２を略上方から差し込みにより取付け且つ略上方への移動により取り外すことができるようにすることが好ましい。
【００２３】
このように、ポンプ７から容器５に流体を送る構造、容器５を密閉したり、気密開放をしたりする構造、密閉状態で洗浄液６を洗浄部４側に放出する構造を備えた容器５を洗浄装置本体１３に対して着脱自在とするに当たり、上下方向に着脱できて、容器５を洗浄装置本体１３に着脱する際に洗浄装置本体１３が倒れたり、横方向にずれたりすることがなく、操作性がよいものである。
【００２４】
また、容器５の気密を開放するための開閉口１１の孔面積が、ポンプ７から容器５内に流体を送る送入口９ａの孔面積と同じか又は大きくすることが好ましい。
【００２５】
このような構成とすることで、洗浄液６の回収時に容器５の内圧が上昇することがなく、容器５から洗浄液６が放出することがないものである。
【００２６】
また、容器５に上方に開口した開口部１５を設け、該開口部１５を遮蔽自在とした上方から着脱自在なキャップ１６を設けることが好ましい。
【００２７】
このような構成とすることで、容器５に洗浄液６を追加して使用することができ、また、上方に開口しているので洗浄液６を注ぎやすいものである。
【００２８】
また、本発明の除毛器具２の洗浄方法は、体毛の除毛をおこなうための体毛処理部１を有する除毛器具２を洗浄装置３により洗浄するための洗浄方法であって、洗浄装置３に、除毛器具２を配置して洗浄するための洗浄部４と、洗浄液６を入れる容器５と、洗浄部４に対する洗浄液６の放出口１４と容器５とを連通する供給路３０と、洗浄部４で洗浄した後の洗浄液６を取入れるための取入れ口１７と容器５とを連通する返送路２９と、上記供給路３０と容器５と返送路２９とで構成される供給・返送経路３３中に、ポンプ７と、気密化された容器５内と外気とを通気するための空気弁８を備え、除毛器具２の洗浄に当たって、洗浄部４に除毛器具２を配置し、容器５に入れた洗浄液６を放出口１４から洗浄部４に放出して除毛器具２を洗浄すると共に洗浄後の洗浄液６を取入れ口１７から取入れて容器５に返送する循環モード運転を行って除毛器具２を洗浄し、洗浄液６による除毛器具２の洗浄が終った後、洗浄液６を取入れ口１７から容器５に戻して回収する回収モード運転を行って洗浄液６を容器５に回収するものであり、上記２つのモードのいずれのモードにおいても上記ポンプ７を運転すると共に、空気弁８の開と閉を選択することで上記２つのモードのいずれか一方を選択して運転することを特徴とする。
【００２９】
このような方法を採用することにより、循環モードと、回収モードのいずれの場合も、共通のポンプ７を運転するのに加えて空気弁８の開と閉の選択で、両モードのいずれか一方を選択して運転することができ、簡単な方法で、洗浄液６の循環による洗浄と、自由落下によらない洗浄液６の回収とができ、これにより、洗浄後の洗浄液６を自由落下によって回収する従来例のように容器５の洗浄液６の保存時の水面位置が洗浄部４の下面の下になるように容器５を洗浄部４の下方に配置しなければならないというような洗浄部４に対して容器５の配置位置の制約がなくなり、洗浄部４に対して容器５を上方でも、側方でも、下方でも配置することができ、設計の自由度が増して形状が自由にできるものであり、特に、容器に入れた洗浄液６の上面が洗浄部４の下面に対して上方に位置するように容器５を配置することができるので、従来のように洗浄部４の下方に容器５を配置するものに比べ、本発明の方法を採用することで、洗浄装置３の上下高さを低くして嵩を低くコンパクトにできるものであり、また、洗浄モードで使用するポンプ７を回収モードでもそのまま使用できるので構造を簡略化できるものである。
【００３０】
また、洗浄装置３に、除毛器具２を洗浄するための洗浄部４と、洗浄液６を入れる密閉された容器５と、この密閉された容器５内を加圧することで容器５内の洗浄液６を洗浄部４に供給し且つ洗浄部４における洗浄後の洗浄液６を加圧して再び容器５に返送するためのポンプ７とを備え、除毛器具２を洗浄するに当たって、循環モードにおいては、空気弁８を閉じて容器５内を密閉した状態でポンプ７を作動してポンプ７による加圧で容器５に入れた洗浄液６を放出口１４から洗浄部４に放出して除毛器具２を洗浄すると共に洗浄後の洗浄液６をポンプ７で加圧して再び容器５に返送し、回収モードにおいては、空気弁８を開いて容器５の気密を開放した状態でポンプ７により容器５に洗浄液６を戻して容器５に洗浄液６を回収することも好ましい。
【００３１】
このような方法を採用することで、前述と同様に、洗浄部４に対して容器５の配置位置の制約がなく、洗浄装置３の上下高さを低くして嵩を低くコンパクトにできるだけでなく、ポンプ７の運転に加えて空気弁８の開と閉を選択するという簡単な方法で、空気弁８を閉じて容器５内を密閉にした状態でポンプ７を作動して、加圧方式により洗浄液６を循環させて循環モード運転で洗浄部４で除毛器具２を洗浄し、また、洗浄後に空気弁８を開いて容器５の気密を開放するという簡単な方法で、ポンプ７により洗浄液６を容器５に回収でき、この回収時に容器５から洗浄液６が洗浄部４側に放出されることがなく、また、回収時以外は容器５内が密閉されているので、洗浄液６の蒸発を防ぐことができる洗浄方法を提供できるものである。
【００３２】
また、供給路３０にポンプ７を設け、供給路３０のポンプ７と容器５との間を２流路により構成して一方の流路を容器５の下部とポンプ７とを連通する液体流路３０ｂとすると共に他方の流路をポンプ７と容器５の上部とを連通する空気排出流路３０ｃとし、液流路３０ｂに液体供給弁８０を設け、空気排出流路３０ｃに空気弁８を設け、除毛器具２を洗浄するに当たって、循環モードにおいては、空気弁８を閉じ且つ液体供給弁８０を開いた状態でポンプ７を作動してポンプ７による吸引で容器５に入れた洗浄液６を放出口１４から洗浄部４に放出して除毛器具２を洗浄すると共にポンプ７による洗浄液６の吸引で容器５内が減圧されることによる吸引力で洗浄後の洗浄液６を再び容器５に返送し、回収モードにおいては、空気弁８を開き且つ液体供給弁８０を閉じた状態でポンプ７を作動してポンプ７による吸引で容器５内を減圧して容器５に洗浄液６を回収することも好ましい。
【００３３】
このような方法を採用することで、前述と同様に、洗浄部４に対して容器５の配置位置の制約がなく、洗浄装置３の上下高さを低くして嵩を低くコンパクトにできるだけでなく、空気弁８を閉じると共に液体供給弁８０を開いた状態でポンプ７を運転するという簡単な方法で、容器５内の洗浄液６をポンプ７により吸引して洗浄部４に放出し、容器５内の洗浄液６がポンプ７で吸引されることで容器５内が減圧して洗浄に使用した洗浄液６が返送路２９から容器５内に返送されることで洗浄液６が循環しながら循環モード運転で洗浄部４で除毛器具２を洗浄し、洗浄が終わると、空気弁８を開くと共に液体供給弁８０を閉じてポンプ７を運転するという簡単な方法で、容器５内の空気がポンプ７により吸引されて容器５内が減圧され、これにより洗浄液６を容器５に回収できるものである。
【発明の効果】
【００３４】
本発明は、洗浄部に対して容器の配置位置の制約がなくなり、洗浄部に対して容器を上方でも、側方でも、下方でも配置することができ、設計の自由度が増して形状が自由にできるものであり、特に、容器に入れた洗浄液の上面が洗浄部の下面に対して上方に位置するように容器を配置することができるので、従来のように洗浄部の下方に容器を配置するものに比べ、洗浄装置の上下高さを低くして嵩を低くコンパクトにすることが可能となり、しかも、自由落下で回収することなくポンプにより洗浄液を回収することで容器の配置位置の制約を受けないようにしたにもかかわらず、循環モードと回収モードの両モードの運転をするポンプを共通のポンプで兼用して、構造を簡略化できるという効果がある。
【発明を実施するための最良の形態】
【００３５】
以下、本発明を添付図面に示す実施形態に基づいて説明する。
【００３６】
図１乃至図２０には本発明の一実施形態が示してある。洗浄装置３は、体毛の切断や脱毛等の除毛をおこなうための体毛処理部１を有する電気かみそりや脱毛器等の除毛器具２の体毛処理部１を洗浄するためのものである。
【００３７】
この洗浄装置３は、図１乃至図５に示すようなもので、洗浄装置３の主体を構成するための洗浄装置本体１３は、上方が開口した洗浄皿部よりなる洗浄部４の一側方に容器設置部１８を設けると共に他側方にファン収納部１９を設け、更に、洗浄部４及びファン収納部１９の下方にフィルターケース収納部２０を設けてあり、洗浄装置本体１３の下部のフィルターケース収納部２０の側方位置にポンプ収納部２１が設けてある。
【００３８】
容器設置部１８は洗浄皿部よりなる洗浄部４の一側方に上方に向けて立ち上がった立ち上がり部２２と、立ち上がり部２２の洗浄部４と反対側の側方の段部２３とで構成してあり、この立ち上がり部２２と段部２３とよりなるＬ状をした容器設置部１８に容器５を着脱自在に設置して取付けることができるようになっている。
【００３９】
ここで、洗浄部４の側方に設けた容器設置部１８に洗浄液６を入れる容器５を設置した状態で、容器５における洗浄液６の保存時の水面位置が洗浄部４の下面の側方において該洗浄部４の下面と同じレベル、あるいは容器５における洗浄液６の保存時の水面位置が洗浄部４の下面の側方において該洗浄部４の下面よりも高い位置になるように容器５が設置される。
【００４０】
図１、図３、図４に示すように、ポンプ収納部２１と立ち上がり部２２内の空所とは連通しており、ポンプ収納部２１に配置したポンプ７の上部が立ち上がり部２２内部の空所の下部内に位置しており、これによりポンプ収納部２１の上下高さをできるだけ短くして容器設置部１８よりも下部の部分の上下長さをできるだけ短くなるようにしてある。また、立ち上がり部２２内の空所には開閉口１１とこの開閉口１１を開閉するための空気弁８を備えた気密開閉部２４を配置して取付けてある。
【００４１】
立ち上がり部２２の上面部には図１、図３、図４、図６に示すように、連結部２５、２６、２７が設けてあり、連結部２５、２６、２７はそれぞれ上方に開口した孔により構成してあって後述の容器５に設けた３つの連結管９、連結管１０、連結管１２が上方からの操作により着脱自在に接続できるようになっている。
【００４２】
図６に示すように、上記連結部２５と気密開閉部２４の開閉口１１とはチューブ２８により連通接続してあり、電磁弁よりなる空気弁８は図７に示すようなもので、無通電の時は鉄心８ａがばね８ｂにより押し下げられて開閉口１１を開き且つ通電時にはコイル８ｃの電磁石により鉄心８ａが開閉口１１を塞ぐ側に移動して開閉口１１を閉じるようになっている。この開閉口１１の孔面積は、後述のポンプ７から容器５内に流体を送る送入口９ａの孔面積と同じか又は大きくしてある。
【００４３】
また、図６に示すように、連結部２６とポンプ７の出口部７ａとがチューブ２９ａにより連通接続してある。
【００４４】
また、図３に示すように、連結部２７は後述の立ち上がり部２２の洗浄部４側の側面部に設けた洗浄液６を放出する放出口１４とチューブ３０ａにより連通接続してあり、連結部２７には後述のようにして容器５が連通接続される。したがって、連結部２６、チューブ３０ａ、放出口１４によって、放出口１４と容器５とを連通する供給路３０が構成される。
【００４５】
ポンプ７はダイヤフラム式ポンプにより構成してあり、図８に示すように、原動力となるポンプモータ７ｂと、ポンプモータ７ｂの出力軸に取付けた偏芯軸７ｃと、一端部を偏芯軸７ｃに取付け且つ他端部をダイヤフラム７ｄに取付けた連結アーム７ｅと、吸気弁７ｆと排気弁７ｇで構成してあり、ポンプモータ７ｂの回転が偏芯軸７ｃ、連結アーム７ｅを介して接続されたダイヤフラム７ｄの上下動に変換されるようになっており、ダイヤフラム７ｄが上方に引っ張られて上方に移動するとポンプ内圧が低下し、このため吸気弁７ｆが内側に撓んで開くと共に排気弁７ｇが閉じられて洗浄液６及び空気が入口部７ｈから流入する。次に、ダイヤフラム７ｄが押されて下方に移動するとポンプ内圧が上昇し、そのため吸気弁７ｆが閉じられると共に排気弁７ｇが外側に撓んで開き、洗浄液６及び空気が出口部７ａから流出するようになっている。
【００４６】
立ち上がり部２２の洗浄部４側の側面部には下程洗浄部４の内部に向かうように下り傾斜した傾斜部３１が設けてあり、この傾斜部３１には除毛器具２を受けて支持するための突起状の支持部３２が設けてある。また、立ち上がり部２２の洗浄部４側の側面部の上部には左右一対の保持アーム４６が設けてあり、この保持アーム４６は一方が固定保持アーム４６ａとなり、他方が回動自在な可動保持アーム４６ｂとなっており、可動保持アーム４６ｂは一端部が立ち上がり部２２に回動自在に軸支してあると共にばね（図示せず）により一方向に回動させようとするばね力が付与してある。
【００４７】
添付図面に示す実施形態では除毛器具２の一側面部にトリマー部５２が突出しており、図１に示すように、洗浄部４に除毛器具２を上下逆にして（体毛処理部１が下を向くようにして）入れて傾斜部３１に沿って除毛器具２をもたれさせた状態でトリマー部５２を支持部３２に載置して支持すると共に、一対の保持アーム４６により除毛器具２を左右両側から抱持する（除毛器具２の両側の一側を固定保持アーム４６ａにより保持すると共に可動保持アーム４６ｂにより除毛器具２の他側を弾性的保持する）ことで除毛器具２の先端部の体毛処理部１を洗浄皿部よりなる洗浄部４の底部４ａより少し浮かした状態で洗浄部４に配設支持できるようにしている。
【００４８】
上記傾斜部３１には図３に示すように洗浄液６を放出する放出口１４が開口していて、放出口１４から洗浄液６が洗浄皿よりなる洗浄部４に放出されて洗浄部４内に配設支持された除毛器具２の先端部の体毛処理部１を洗浄するようになっている。
【００４９】
洗浄液６を入れる容器５は図９に示されるようなもので、容器５は洗浄液溜め部３４と洗浄液溜め部３４の上端部に連続して形成された洗浄液溜め部３４よりも幅広の空気室部３５とで略逆Ｌ状に構成してあり、上部の幅広の空気室部３５の側部が洗浄液溜め部３４より側方に突出していて側方突出部３６となっている。この側方突出部３６の底部に送入口９ａである連結管９と、排出口１０ａである連結管１０と、前述の開閉口１１に接続される連結管１２とを備えている。各連結管９、１０、１２はそれぞれ下部が側方突出部３６の底部から下方に突出し、上部が空気室部３５内において側方突出部３６の底部から上方に突出している。
【００５０】
連結管１０には容器５内に縦に配置した容器チューブ３７の上端部が連通接続してあり、容器チューブ３７の下端部は容器５の洗浄液溜め部３４の下端部付近において開口している。
【００５１】
連結管９、１０、１２の側方突出部３６の底部から下方に突出している部分にはそれぞれＯリング９ｂ、１０ｂ、１２ｂが設けてある。
【００５２】
容器５の空気室部３５の上部には上方に開口した開口部１５が設けてあり、該開口部１５に上方から着脱自在なキャップ１６が取付けてある。キャップ１６にはＯリング１６ａが設けてあり、キャップ１６を開口部１５に嵌め込んで開口部１５を閉じた状態で気密を保持するようにしている。開口部１５はキャップ１６を外して開口部１５から容器５内に洗浄液６を入れるために利用するものであり、この場合、洗浄液６はその水位が容器５の洗浄液溜め部３４の上端（つまり幅広となった空気室部３５の下端）を目安とし、洗浄液溜め部３４の上端（つまり幅広となった空気室部３５の下端）を越えないように入れるものである。
【００５３】
上記の構成の略逆Ｌ状をした容器５は洗浄装置本体１３の略Ｌ状をした容器設置部１８に上方から載設し、容器５の下端面部を容器設置部１８の段部２３に載置すると共に容器５の側方突出部３６の底部を容器設置部１８の立ち上がり部２２の上面部に載置することで着脱自在に取付けるものであり、この場合、図６に示すように連結管９、１０、１２の側方突出部３６の底部から下方に突出している部分をそれぞれ、立ち上がり部２２の上面部に設けた連結部２５、２６、２７に着脱自在に嵌め込んで連結してある。この場合、連結管９、１０、１２に設けたＯリング９ｂ、１０ｂ、１２ｂがそれぞれ孔よりなる連結部２５、２６、２７の内面に密接して気密が保たれるようになっている。
【００５４】
このように容器５を洗浄装置本体１３に取付けて洗浄部４の側方に配設した状態で、容器５はキャップ１６の取付け部分においてはＯリング１６ａにより気密が保たれ、連結管９、１０、１２の連結部２５、２６、２７との連結部分においてはＯリング９ｂ、１０ｂ、１２ｂにより気密が保たれた密閉された容器５となるものである。
【００５５】
また、上記のように容器５を上方からの操作で容器設置部１８に着脱自在に載置すると共に連結管９、１０、１２を連結部２５、２６、２７に着脱自在に嵌め込んで連結することで、容器５の着脱操作により洗浄装置本体１３が倒れたり、横方向にずれたりせず、操作性が良くなるものである。
【００５６】
上記のように、容器５内に洗浄液６を溜めた状態で該洗浄液６の水面が洗浄部４の下面よりも上方となるように、洗浄部４の側方に洗浄液６を入れる容器５を配設することで、洗浄液６の自然落下により洗浄部４の下方に洗浄液６を入れる容量の大きい容器５を配置する従来例に比べて洗浄装置３全体の上下高さを低くでき、洗浄装置３の嵩を低くしてコンパクト化が図れるものである。
【００５７】
洗浄皿部よりなる洗浄部４の底部４ａには排水孔部３８が設けてあり、洗浄部４の上部にはオーバーフロー部３９が設けてあり、洗浄装置本体１３に設けたオーバーフロー排水路４０の上端部がオーバーフロー部３９に連続すると共にオーバーフロー排水路４０の下端部が洗浄部４の下部のフィルターケース収納部２０の上面部に開口している。
【００５８】
洗浄装置本体１３の下部に設けたフィルターケース収納部２０は洗浄装置本体１３の下部の一側において側方に開口していて、この側方開口から図１乃至図５に示すようにフィルターケース４１が出し入れ自在に挿入して収納してある。
【００５９】
フィルターケース４１は図１０に示すようなもので、上方が開口した凹所４２を備え、この凹所４２内にフィルター４３を設けて凹所４２内を２室に仕切ってある。凹所４２内のフィルター４３により仕切られた２室のうち一室４２ａは図１に示すようにフィルターケース４１をフィルターケース収納部２０内に収納した状態で上記洗浄部４の底部４ａには排水孔部３８と、オーバーフロー排水路４０の下端開口とが連通する部分となっており、また、凹所４２内のフィルター４３により仕切られた２室のうち他室４２ｂはフィルターケース４１に設けた筒部よりなる接続部４４と連通しており、この筒部よりなる接続部４４にはＯリング４４ａが設けてある。そして、フィルターケース４１をフィルターケース収納部２０内に収納した状態で接続部４４が入口部７ｈに着脱自在に嵌め込まれて接続されると共にＯリング４４ａが入口部７ｈの内面に密接して接続部分の気密を保持するようにしている。
【００６０】
本実施形態においては、上記のようにフィルタケース４１に設けた接続部４４に接続するための入口部７ｈからフィルタケース４１を通過した洗浄液６を容器５に取入れるための取入れ口１７となっていて、この取入れ口１７と洗浄液６を入れる容器５とを連通する流路が返送路２９となっている。
【００６１】
そして、洗浄装置本体１３の容器設置部１８に容器５を設置した状態で、上記返送路２９と、容器５と、前述の供給路３０とで一連の供給・返送経路３３が構成されるものであり、本実施形態においては、この供給・返送経路３３を構成する一構成要素である返送路２９に上記のようにポンプ７を設け、空気弁８を供給・返送経路３３を構成する他の一構成要素である容器５に空気弁８を備えている。
【００６２】
ファン収納部１９には図１、図３、図４に示すようにファン装置４５が配設してある。ファン装置４５は図１１に示すようなもので、ファンケース４５ａに取付けたファンモータ４５ｂによりファンケース４５ａ内に設けたファン４５ｃを回転してファンケース４５ａに設けた吸込み口４５ｄから吸い込んで吹出し口４５ｅから送風するようになっており、このファン装置４５の吹出し口４５ｅは洗浄部４に除毛器具２を先端部の体毛処理部１を下にして配置した状態で、体毛処理部１に向かって上方から空気を送風して乾燥できるように下方に向けて開口している。
【００６３】
除毛器具２は電気かみそりや脱毛装置であり、先端部のヘッド部５０に体毛処理部１を備えたものである。図１５乃至図１９には除毛器具２として電気かみそりの例を示している。図１５乃至図１９に示す電気かみそりは、大きく分けてグリップ部５１とヘッド部５０とにより構成してあり、ヘッド部５０には体毛を切断する外刃、内刃や脱毛爪等を備えた体毛処理部１が設けてあり、この部分にひげ屑や皮脂等の汚れが溜まる。このため、洗浄装置３においてはこの除毛器具２のヘッド部５０の体毛処理部１を洗浄するものである。
【００６４】
しかして、洗浄装置３により除毛器具２の体毛処理部１を洗浄するに当たっては以下のようにして行うものである。
【００６５】
洗浄装置本体１３に前述のようにして洗浄液６を入れた容器５を設置すると共にフィルターケース収納部２０にフィルターケース４１を収納する。
【００６６】
次に、洗浄部４に除毛器具２を上下逆にして入れて傾斜部３１に沿って除毛器具２をもたれさせてトリマー部５２を支持部３２に載置して支持すると共に一対の保持アーム４６により除毛器具２を左右両側から抱持することで除毛器具２の先端部の体毛処理部１を洗浄皿部よりなる洗浄部４の底部４ａより少し浮かした状態で洗浄部４に配設支持する。
【００６７】
この状態でポンプ７を作動させ、フィルターケース４１を介してダイヤフラム型ポンプよりなるポンプ７の入口部７ｈから空気が出口部７ａに加圧して送出され、チューブ２９ａ、送入口９ａである連結管９を介して容器５内の空気室部３５に送られる。ここで、容器５内は前述のように密閉されて気密が保たれているので、ポンプ７により容器５内に加圧空気が送られると容器５内の空気室部３５内の内圧が上昇し、これにより容器５内の洗浄液溜め部３４内に入れた洗浄液６の水面が押され、容器チューブ３７の下端部から洗浄液６が連結管１０、チューブ３０ａを経て放出口１４から洗浄部４に放出される。
【００６８】
洗浄皿部よりなる洗浄部４に放出された洗浄液６の一部は洗浄部４の底部４ａの排水孔部３８からフィルターケース４１の一室４２ａに放出されるが、洗浄液６の水位が徐々に高くなっていく（この時、放出口１４から洗浄皿部よりなる洗浄部４に放出する洗浄液６の液量は排水孔部３８より放出される液量よりも多い）。洗浄部４内における洗浄液６の水位がオーバーフロー部３９に達するとオーバーフロー部３９からオーバーフローしてフィルターケース４１の一室４２ａに流下し、水位がオーバーフロー部３９の位置に保たれる。
【００６９】
フィルターケース４１の一室４２ａに洗浄液６が流れるとフィルター４３によりろ過されて、他室４２ｂを経て洗浄液６のみがポンプ７の作用によりに取入れ口１７から供給・返送経路３３に取入れられ、返送路２９を構成するポンプ７、チューブ２９ａ、連結管９を介して容器５に洗浄液６が返送され、容器５に戻った量と同じ量の洗浄液６が供給路３０を経て放出口１４から洗浄部４に放出され、このようにして洗浄部４の洗浄液６がポンプ７を介して循環する。この水位が保たれた状態を一定時間続けることで除毛器具２の体毛処理部１を洗浄するのであり、これが洗浄液６を循環させて除毛器具２の洗浄を行う循環モード運転である。
【００７０】
この場合、上記のように洗浄部４の洗浄液６がポンプ７を介して一定時間続けて循環する間、除毛器具２の体毛処理部１を動作させ、例えば電気かみそりの場合、内刃を駆動して振動させ、脱毛装置の場合には脱毛爪を回動又は回転して脱毛爪を開閉動作させることでよりいっそう洗浄効果を上げることができるものである。
【００７１】
上記のようにして一定時間の洗浄が終わると、その後、ポンプ７の運転は継続しながら空気弁８を開にして開閉口１１を開いて洗浄時に密閉していた容器５内の密閉を開放する。これにより容器５内の気密がとかれ容器５内の内圧が上昇しないためポンプ７により容器５に戻ってきた洗浄液６は再び容器５外に流出することはなくなり、容器５内に洗浄液６が回収されるものである。これが洗浄液６を容器５に回収する回収モード運転である。
【００７２】
上記の循環モードによる洗浄液６を循環しての除毛器具２の洗浄運転、洗浄後における回収モードへの切り替え、その後の回収モードによる洗浄液６の回収運転は、洗浄装置本体１３に設けた制御回路６０からの制御信号により行われる。
【００７３】
ここで、容器５の気密を開放するための開閉口１１の孔面積が、ポンプ７から容器５内に流体を送る送入口９ａの孔面積と同じか又は大きくしてあることで、上記のように一定時間の洗浄が終わった後、空気弁８を開にして開閉口１１を開いた場合に容器５内の内圧を決して上昇させることがなく、したがって、回収する洗浄液６の一部が放出口１４から洗浄部４に流れ出て、放出口１４部分に液垂れが生じるというおそれがないものである。
【００７４】
本発明においては、前述のように洗浄部４の側方に容器５を配置することで洗浄部４の下方に容器５を配置する従来例に比べて洗浄装置３の上下高さを低くして嵩を低くコンパクトにできるようにしたが、このように洗浄部４の側方に容器５を配置した場合、洗浄後に洗浄液６を容器５に回収するに当たって洗浄液６の自然落下では容器５内に回収することができない。そこで、上記のように、洗浄時に循環させるポンプ７をそのまま利用して洗浄後に洗浄液６を回収できるように、洗浄時には容器５内を気密にし、洗浄が終わって洗浄液６を容器５に回収する時は容器５の気密を開放することで、単一のポンプ７を利用して、洗浄時の洗浄液６の循環と、洗浄後における洗浄液６の容器５への回収とを行うことができるようにしたものであり、これにより循環と回収のポンプを兼用化でき、構造を簡略化し、コンパクト化が図れるものである。
【００７５】
上記した容器５内を密閉した状態でポンプ７により洗浄液６内を加圧することで容器５に入れた洗浄液６を容器５から放出して除毛器具２を洗浄すると共に洗浄後の洗浄液６をポンプ７で加圧して再び容器５に返送し、洗浄液６による除毛器具２の洗浄が終った後、容器５の気密を開放した状態でポンプ７により容器５に洗浄液６を戻して容器５に洗浄液６を回収するという一連の動作は少なくとも１回以上行うものである。図１２には本発明の上記洗浄動作、回収動作を示す模式図が示してある。
【００７６】
その後、ポンプ７を停止させ、ファン装置４５を作動させ、除毛器具２の体毛処理部１を備えた先端部（ヘッド部）に送風して除毛器具２の先端部（ヘッド部）を乾燥させものである。
【００７７】
上記実施形態の洗浄装置３においては、容器５を洗浄装置本体１３に対して着脱自在にしたものが示してあり、容器５の着脱を洗浄装置本体１３に対して上方からの着脱操作により着脱を行うことで容器５を洗浄装置本体１３に着脱する際に洗浄装置本体１３が倒れたり、横方向にずれたりすることがなく、操作性をよくしているが、本発明においては容器５を洗浄装置本体１３と別体にするものにのみ限定されず、図１３に示すように洗浄装置本体１３と容器５とが一体であってもよいものである。
【００７８】
ところで、本発明においては、洗浄のために除毛器具２を上下逆にして洗浄装置３の洗浄部４の所定位置に配置した状態で、洗浄装置３から除毛器具２に電力乃至除毛器具２を制御する制御信号の少なくとも一方又は両方を伝送するための伝送手段を設けてある。この伝送手段は、除毛器具２の側面に設けた除毛器具側伝送部Ａと、除毛器具２を洗浄部４に配置した状態で除毛器具２の側面に設けた除毛器具側伝送部Ａに対応する洗浄部４位置に設けた洗浄装置側伝送部Ｂとで構成してある。
【００７９】
すなわち、除毛器具２のグリップ部５１には側面（添付図面の実施形態では側面の一部である背面）に側面端子ブロック５３が設けてある。側面端子ブロック５３は図２０に示すようなもので、側面基台５４と、側面基台５４に取付ける除毛器具側伝送部Ａを構成する側面端子５５と、側面端子５５に電気的に接続される側面プラグ板５６と、側面プラグ板５６に電気的に接続される側面リード線５７と、側面防水リング４８とにより構成してあり、更にグリップ部５１内の回路ブロック５８の充電回路５９や制御回路６０や電池６１に接続してある。
【００８０】
ここで、除毛器具２のグリップ部５１の側面とは除毛器具２をヘッド部５０が上を向くようにした姿勢でグリップ部５１の正面、左右側面、背面を指し、実施形態では除毛器具２が往復式電気かみそりであって、体毛処理部１を構成する内刃の往復動方向を左右方向としており、また、オン、オフスイッチ等の操作部４９を正面に設け、背面にトリマー部５２を設けた例であり、図１７に示すようにグリップ部５１の背面のトリマー部５２の下方位置に側面端子５５を配置してある。もちろん背面以外の他の側面（つまり、正面や左右側面）に側面端子５５を設けてもよい。
【００８１】
洗浄装置３には除毛器具２を上下逆にして洗浄装置３の洗浄部４の所定位置に配置した場合上記除毛器具２の側面に設けた除毛器具側伝送部Ａを構成する側面端子５５と接触するための洗浄装置側伝送部Ｂを構成する接続端子６３が設けてあり、この接続端子６３は洗浄装置３の制御回路６４、電源回路６５に接続してある。添付図面に示す実施形態においては洗浄部４の側方の立ち上がり部２２の洗浄部４側の側面に洗浄装置側伝送部Ｂとなる接続端子６３が設けてある。
【００８２】
そして、除毛器具２を体毛処理部１が下となるように上下逆にして洗浄装置３の洗浄部４の所定位置に配置した場合、除毛器具２の除毛器具側伝送部Ａである側面端子５５が洗浄装置３の洗浄装置側伝送部Ｂである接続端子６３に接触する。ここで、除毛器具２の側面に設ける側面端子５５位置は任意の高さに配置できるが、グリップ部５１の下部に配置した場合、除毛器具２を上下逆にして洗浄装置３の洗浄部４内に配置した際の側面端子５５の位置が高くなり、このため洗浄装置３に設ける接続端子６３の位置が高くなり、したがって、洗浄装置３の上下高さを低くする効果が薄れることになる。このため、除毛器具側伝送部Ａである側面端子５５は除毛器具２のグリップ部５１の上下方向の略中央付近あるいは上部に設けるのが好ましく、これにより洗浄装置３に設ける洗浄装置側伝送部Ｂである接続端子６３の位置を低くできて洗浄装置３の上下高さをよりいっそう低くすることができる。
【００８３】
本発明においては、洗浄装置３の洗浄部４に除毛器具２を上下逆にして入れて所定位置に配置することで除毛器具２を洗浄装置３に洗浄のためにセットした場合、除毛器具２が洗浄装置３に対して所定の位置関係で保持されるように保持手段Ｃが設けてあるが、前述の実施形態においては、洗浄装置３の接続端子６３を設けた側に設置した一対の保持アーム４６により構成した引圧装置９５と、洗浄部４の接続端子６３を設けた側に設置した傾斜部３１とがそれぞれ保持手段Ｃを構成している。
【００８４】
すなわち、前述の実施形態においては、洗浄装置３の洗浄部４に除毛器具２を上下逆にして入れて所定位置に配置して前述のように保持手段Ｃである引圧装置９５を構成する一対の保持アーム４６により除毛器具２を保持した場合、可動保持アーム４６ｂをばね付勢してあって、この可動保持アーム４６ｂにより除毛器具２を洗浄装置３側に引っ張って除毛器具側伝送部Ａを洗浄装置３の洗浄装置側伝送部Ｂ側に向けて押し付けて両者の位置関係が離れないようにしており、更に、前述のように、保持手段Ｃを構成する傾斜部３１に除毛器具２を傾けてもたれ掛けるようにして保持することで、除毛器具２自身の自重により除毛器具側伝送部Ａを洗浄装置側伝送部Ｂに向けて押し付けて両者の位置関係が離れないようにしている。ここで、前述の実施形態においては、上記のように一対の保持アーム４６よりなる引圧装置９５と傾斜部３１とがそれぞれ保持手段Ｃを構成しているが、引圧装置９５のみで保持手段Ｃを構成したり、傾斜部３１のみで保持手段Ｃを構成してもよい。
【００８５】
また、図示を省略しているが、洗浄装置３の洗浄部４をはさんで洗浄装置側伝送部Ｂと対向する側に押圧装置（図示せず）を設けて保持手段Ｃを構成してもよく、この場合洗浄装置３の洗浄部４に除毛器具２を上下逆にして入れて所定位置に配置した状態で押圧装置により除毛器具２を押圧して除毛器具側伝送部Ａを洗浄装置３の洗浄装置側伝送部Ｂ側に向けて押し付けて両者の位置関係が離れないようにするものである。
【００８６】
なお、上記した押圧装置と上記引圧装置９５とを組み合わせて保持手段Ｃを構成したり、あるいは押圧装置と傾斜部３１とを組み合わせて保持手段Ｃを構成したり、あるいは押圧装置と上記引圧装置９５と傾斜部３１とを組み合わせて保持手段Ｃを構成したりしてもよいものである。
【００８７】
図１４には上記のような洗浄システムの電気的なブロック図が示してある。洗浄装置３には外部から入力される電源を洗浄装置３内部で用いる電圧に変換する電源回路６５と、洗浄装置３全体の制御を行う制御回路６４と、ポンプ７、空気弁８、ファン装置４５と、状態表示を行うための表示回路６６と、フィルターケース４１がフィルターケース収納部２０に収納されているかどうかを検出するためのフィルター検出回路６７と、除毛器具２の除毛器具側伝送部Ａである側面端子５５と接続するための洗浄装置側伝送部Ｂである接続端子６３とを含んだ構成となっている。制御回路６４において、ポンプ７、空気弁８、ファン装置４５の動作の制御、洗浄の進行状況の表示制御を行うと共に、洗浄装置側伝送部Ｂと除毛器具側伝送部Ａよりなる伝送手段を通して除毛器具２への通信、給電の制御をおこなうようになっている。また、制御回路６４はフィルター検出回路６７からの信号を受け、フィルターケース４１が無い場合には洗浄を行わないなどの判断を行っている。
【００８８】
除毛器具２は、除毛器具２の制御全般を行っている制御回路６０、電池６１、洗浄装置３との接続を行う除毛器具側伝送部Ａである側面端子５５、電池６１への充電を行う充電回路５９を含んだ構成となっている。制御回路６０では、洗浄装置側伝送部Ｂである接続端子６３、除毛器具側伝送部Ａである側面端子５５を通して洗浄装置３から送られてきた信号に応じて除毛器具２の体毛処理部１の駆動を行うことが可能なように構成してあり、また、充電回路５９においては洗浄装置側伝送部Ｂである接続端子６３、除毛器具側伝送部Ａである側面端子５５を通して洗浄装置３から給電された電力により電池６１を充電することができるように構成してある。
【００８９】
以下、洗浄装置３の洗浄部４に除毛器具２を上下逆にして入れて所定位置に配置して洗浄する場合の制御の一例につき説明する。
【００９０】
洗浄装置３の洗浄部４に除毛器具２を上下逆にして入れて所定位置に配置して側面端子５５が接続端子６３に接触すると、この接続端子６３への側面端子５５の接触を任意の検出手段で検出して洗浄装置３の制御回路６４により洗浄動作を始めるように制御すると共に、接続端子６３、側面端子５５を通して洗浄装置３から制御信号を送ると共に給電し、接続端子６３、側面端子５５を通して洗浄装置３から送られてきた制御信号を除毛器具２の制御回路６０に入力して体毛処理部１を駆動させると共に接続端子６３、側面端子５５を通して洗浄装置３から給電された電力により電池６１を充電する。
【００９１】
このようにすると、洗浄装置３の洗浄部４に除毛器具２を上下逆にして入れて所定位置に配置して側面端子５５が接続端子６３に接触させると同時に洗浄装置３における洗浄が自動的に開始されると共に洗浄中に除毛器具２の体毛処理部１が駆動して洗浄をより効果的に行うことができるものであり、同時に除毛器具２への充電も行えるものである。
【００９２】
上記実施形態では洗浄装置３の所定位置に除毛器具２をセットすると自動的に洗浄動作、体毛処理部１の駆動、充電を行わせるように制御する例を示したが、洗浄装置３の所定位置に除毛器具２をセットし、側面端子５５を接続端子６３に接触させた後、洗浄装置３に設けたスイッチ（図示せず）をオン操作することで上記洗浄動作、体毛処理部１の駆動、充電を行わせるように制御するようにしてもよい。
【００９３】
また、上記実施形態では除毛器具側伝送部Ａである側面端子５５と洗浄装置側伝送部Ｂである接続端子６３を接触させて信号及び電力を洗浄装置３から除毛器具２に送るようにした例を示しているが、除毛器具側伝送部Ａである側面端子５５と洗浄装置側伝送部Ｂである接続端子６３を接触させて信号のみを送って洗浄中に除毛器具２の体毛処理部１を駆動させるようにしてもよいものである。
【００９４】
また、除毛器具側伝送部Ａである側面端子５５と洗浄装置側伝送部Ｂである接続端子６３を接触させて電力のみを送って除毛器具２の電池６１に充電するようにしてもよいものである。
【００９５】
上記した各実施形態では除毛器具２に設けた側面端子５５よりなる除毛器具側伝送部Ａと、接続端子６３よりなる洗浄装置側伝送部Ｂとで伝送手段を構成して側面端子５５を接続端子６３に直接接触して電気的に接続して電力や制御信号を伝送するようにした例を示したが、除毛器具２の側面部内に除毛器具側伝送部Ａとなる二次巻線（図示せず）を配置し、洗浄装置３の上記二次巻線に対向する部分に洗浄装置側伝送部Ｂとなる一次巻線（図示せず）を配置して、洗浄のために除毛器具２を上下逆にして洗浄装置３にセットした状態で、一次巻線と二次巻線との間を電磁接続することで、除毛器具側伝送部Ａを洗浄装置側伝送部Ｂに直接接触を行わなくても非接触で信号や電力伝送が行えるようにしてもよいものである。このように非接触方式で磁気接続とすると除毛器具２、洗浄装置３とも信号や電力を送るために接続する部分をハウジング表面に設ける必要がなく、手で持つときに握り易い形状にでき、また、ハウジングに孔をあける必要がないため防水が簡単に行えるものである。
【００９６】
次に、本発明の他の実施形態を図２１に基いて説明する。前述の図１に示す実施形態では洗浄皿部よりなる洗浄部４の側方に容器５を配設して洗浄装置の上下高さを低くするようにした例につき説明したが、図２１に示す実施形態においては、図２１（ａ）のように洗浄皿部よりなる洗浄部４の上に容器５を配設してもよい。本実施形態でのように洗浄部４の上に容器５を配設しても、図２１（ｂ）のように洗浄のために除毛器具２を容器５内に入れてセットした状態で、容器５が除毛器具２の側方（つまり横）に位置するように配置してあれば、洗浄装置の上下高さを、容器５を洗浄部４の下に配置するよりも低くすることができるものである。
【００９７】
次に、図２２について本発明の更に他の実施形態を説明する。本実施形態では、洗浄液６を溜めるための容器５が、縦容器部５ａの下部に側方に向けて横容器部５ｂが一体に突出するように連設形成されたＬ字状をしたもので、洗浄皿部よりなる洗浄部４の下に容器５の横容器部５ｂを配置すると共に洗浄部４の側方に縦容器部５ａを配置するようにしたものであり、容器５に洗浄液６を溜めた状態で、容器５に入れた洗浄液６の上面が洗浄部４の下面に対して上方に位置するようになっている。本実施形態においては、容器５内への洗浄液６の貯留量を多くしながら、洗浄装置の上下高さを、容器５を洗浄部４の下に配置するよりも低くすることができるものである。
【００９８】
図２３、図２４には本発明の更に他の実施形態が示してある。
【００９９】
すなわち、前述の各実施形態においては、返送路２９にポンプ７を配置し、循環モードにおいては、空気弁８を閉じて容器５内を密閉した状態で、ポンプ７を作動して密閉された容器５内を加圧することで容器５内の洗浄液６を洗浄部４に供給し且つ洗浄部４における洗浄後の洗浄液６を加圧して再び容器５に返送するようにし、返送モードにおいては、空気弁８を開いて容器５内の気密を解放した状態で、ポンプ７を作動して洗浄液６による除毛器具２の洗浄が終って洗浄液６をポンプ７により容器５内に回収するようにした例、つまり、ポンプ７による加圧方式による循環、返送を行うようにした例を示しているが、本実施形態においては、図２３の模式図に示すように、洗浄後の洗浄液６を取入れ口１７と容器５とを返送路２９で連通接続し、洗浄部４に対する洗浄液６の放出口１４と容器５とを供給路３０で連通接続し、この供給路３０にポンプ７を設け、供給路３０のポンプ７と容器５との間を２流路により構成して一方の流路を容器５の下部とポンプ７とを連通する液体流路３０ｂとすると共に他方の流路を容器５の上部とポンプ７とを連通する空気排出流路３０ｃとし、液体流路３０ｂに液体供給弁８０を設け、空気排出流路３０ｃに空気弁８を設けた構成としている。
【０１００】
ここで、返送路２９の一端部と、空気排出流路３０ｃの一端部は共に容器５のが上端部である容器上面部において連通しており、容器５内に洗浄液６を入れた状態で洗浄液６が容器５内から返送路２９に逆流したり、空気排出流路３０ｃから排出されないようになっている。
【０１０１】
そして、本実施形態においては、循環モードの運転では、空気弁８が閉、液体供給弁８０が開となるように制御され、この状態でポンプ７が運転制御されることで、ポンプ７による吸引により容器５に入れた洗浄液６を液体流路３０ｂ、ポンプ７を経て放出口１４から洗浄部４に放出して洗浄部４に配置している除毛器具２を洗浄すると共に、ポンプ７による洗浄液６の吸引で容器５内が減圧されることによる吸引力で洗浄後の洗浄液６を再び容器５に返送するようになっている。つまり、減圧方式で、図２３（ａ）の矢印に示すように、洗浄液６が循環する循環モード運転が行われる。また、洗浄部４における除毛器具２の洗浄が終わると前述の実施形態と同様に回収モードの運転が行われるが、この回収モードの運転では、空気弁８が開、液体供給弁８０が閉となるように制御され、この状態でポンプ７が運転制御されることで、ポンプ７による吸引で容器５内を減圧して容器５に洗浄液６を回収するようになっている。つまり、減圧方式で、図２３（ｂ）の破線に示す矢印に示すように容器５内の空気をポンプ７で吸引して容器５内を減圧することで図１３（ｂ）の実線に示すように洗浄液６を容器５に回収する回収モード運転が行われる。
【０１０２】
ここで、図２４に示すように、液体流路３０ｂ、空気排出流路３０ｃを弾性を有するゴム製チューブ７０により形成し、このゴム製チューブ７０と、コイル７１と可動鉄心７２とで液体供給弁８０や空気弁８を構成するようにしてもよい。
【０１０３】
図２４には弁ケース７３に、チューブ挿通孔部７４と、該チューブ挿通孔部７４と連通する凹部７５とを設け、チューブ挿通孔部７４にゴム製チューブ７０を挿通し、更に、凹部７５内にコイル７１を収納し、コイル７１内に移動自在に可動鉄心７２が入れてあり、可動鉄心７２の一端部がゴム製チューブ７０に当接して電磁弁を構成している。このように、ゴム製チューブ７０、コイル７１、可動鉄心７２よりなる電磁弁で液体流路３０ｂの途中に設ける流体供給弁８０や空気排出流路３０ｃの途中に設ける空気弁８を構成する。
【０１０４】
このような構成において、コイル７１への無通電時にはゴム製チューブ７０の弾性により可動鉄心７１が図２４（ａ）のように押上げられており、ゴム製チューブ７０は開の状態で洗浄液や空気がゴム製チューブ７０よりなる液体流路３０ｂや空気排出流路３０ｃ内を通ることができるようになっている。つまり、液体供給弁８０や空気弁８が開となる。一方、通電時には図２４（ｂ）のようにコイル７１の電磁石により可動鉄心７２が押し下げられてゴム製チューブ７０が押し潰されて密着して閉の状態となり、ゴム製チューブ７０よりなる液体流路３０ｂや空気排出流路３０ｃが密閉される。この図２４に示すような構成とすることで、液体供給弁８０や空気弁８を簡単且つ安価に提供できることになる。
【図面の簡単な説明】
【０１０５】
【図１】本発明の洗浄装置に洗浄のために除毛器具をセットしている状態を示す側面断面図である。
【図２】同上の斜視図である。
【図３】本発明の洗浄装置の側面断面図である。
【図４】同上の他の部分で切断した側面断面図である。
【図５】同上の正面図である。
【図６】同上の連結管部分で切断した正面断面図である。
【図７】同上の空気弁の断面図である。
【図８】同上に使用するポンプを示し、（ａ）は正面断面図であり、（ｂ）は側面断面図である。
【図９】同上の容器の断面図である。
【図１０】同上のフィルターケースを示し、（ａ）は平面図であり、（ｂ）は側面断面図である。
【図１１】同上のファン装置を示し、（ａ）は背面図であり、（ｂ）は正面断面図であり、（ｃ）は側面断面図である。
【図１２】同上の洗浄動作を示す模式図である。
【図１３】同上の洗浄装置の他の実施形態の断面図である。
【図１４】同上の洗浄システムの電気的なブロック図である。
【図１５】同上に用いる除毛器具の正面側から見た斜視図である。
【図１６】同上の正面図である。
【図１７】同上の背面図である。
【図１８】同上の断面図である。
【図１９】同上の分解斜視図である。
【図２０】同上の側面端子ブロックの分解斜視図である。
【図２１】本発明の他の実施形態を示し、（ａ）は除毛器具を配置していない状態の概略構成図であり、（ｂ）は除毛器具を配置した状態の概略構成図である。
【図２２】本発明の更に他の実施形態を示し、（ａ）は除毛器具を配置していない状態の概略構成図であり、（ｂ）は除毛器具を配置した状態の概略構成図である。
【図２３】本発明の更に他の実施形態を示し、（ａ）は循環モード時の概略構成図であり、（ｂ）は回収モード時の概略構成図である。
【図２４】同上の液体供給弁や空気弁を構成する電磁弁を示し、（ａ）は開状態を示す断面図であり、（ｂ）は閉状態を示す断面図である。
【符号の説明】
【０１０６】
１  体毛処理部
２  除毛器具
３  洗浄装置
４  洗浄部
５  容器
６  洗浄液
７  ポンプ
８  空気弁
９  連結管
９ａ  送入口
１０  連結管
１０ａ  排出口
１１  開閉口
１２  連結管
１３  洗浄装置本体
１４  放出口
１７  取入れ口
２９  返送路
３０  供給路
８０  液体供給弁
【図１】
2004243113.tif 000003
【図２】
2004243113.tif 000004
【図３】
2004243113.tif 000005
【図４】
2004243113.tif 000006
【図５】
2004243113.tif 000007
【図６】
2004243113.tif 000008
【図７】
2004243113.tif 000009
【図８】
2004243113.tif 000010
【図９】
2004243113.tif 000011
【図１０】
2004243113.tif 000012
【図１１】
2004243113.tif 000013
【図１２】
2004243113.tif 000014
【図１３】
2004243113.tif 000015
【図１４】
2004243113.tif 000016
【図１５】
2004243113.tif 000017
【図１６】
2004243113.tif 000018
【図１７】
2004243113.tif 000019
【図１８】
2004243113.tif 000020
【図１９】
2004243113.tif 000021
【図２０】
2004243113.tif 000022
【図２１】
2004243113.tif 000023
【図２２】
2004243113.tif 000024
【図２３】
2004243113.tif 000025
【図２４】
2004243113.tif 000026